(57)【要約】【課題】単位画素それぞれに複数副画素を有する階調表示可能な液晶表示パネルを備えた液晶表示装置で、表示する映像情報に応じ、その映像情報に要求される画質及び解像度で映像表示にする。【解決手段】単位画素内の複数の副画素それぞれに対し、ソース電極から供給される階調電圧に加え、所定電圧値の電圧を個別に供給する電圧供給手段を備える。コントローラ４は、ユーザ操作部２での表示モード選択など映像情報に応じて、電圧供給手段で供給される電圧値を副画素個別に調整し且つその調整処理によって変更された単位画素の階調特性を補正して、液晶表示パネル８の表示制御を行う。電圧供給手段としては、例えば、液晶表示パネル８において補助容量単位画素内における各副画素が別々に接続された補助容量基準電極を備えておき、補助容量信号発生回路７により、ＲＯＭ６から読み出した電圧値を各補助容量基準電極から各副画素別に供給する。【選択図】図１
2006189684.tif 000002
【特許請求の範囲】
【請求項１】
ソース電極とゲート電極とに接続された単位画素を複数有し、且つ各単位画素内に複数の副画素を有する階調表示可能な液晶表示パネルと、表示対象となる映像情報に応じて、前記液晶表示パネルにおける映像情報の表示制御を行う制御手段とを備えた液晶表示装置であって、前記単位画素内に構成される複数の副画素それぞれに対し、前記ソース電極から供給される階調電圧に加え、所定の電圧値の電圧を個別に供給する電圧供給手段を備え、前記制御手段は、前記映像情報に応じて、前記電圧供給手段で供給される前記電圧値を副画素個別に調整する調整手段と、該調整手段の調整処理によって変更された単位画素の階調特性を補正する階調特性補正手段とを有することを特徴とする液晶表示装置。
【請求項２】
請求項１に記載の液晶表示装置において、前記電圧供給手段は、前記単位画素内における各副画素が別々に接続された補助容量基準電極を有し、各補助容量基準電極から前記電圧値を各副画素別に供給することを特徴とする液晶表示装置。
【発明の詳細な説明】
【技術分野】
【０００１】
本発明は、液晶表示装置に関し、より詳細には、単位画素それぞれに複数の副画素を有する液晶表示パネルを備えた液晶表示装置に関する。
【背景技術】
【０００２】
階調表示可能な液晶表示装置においては、その視野角を広げるために、各画素電極を複数の副画素電極に分割し、各画素電極に印加された駆動電圧が副画素電極に互いに異なる比率で印加することや、或いは画素電極を複数の副画素に分割し、同一画素電極内において副画素毎に液晶セルの厚みを異ならせることなどがなされている。
【０００３】
また、上、下、（左、右）対称の視覚特性を持ち、且つ階調反転することなく視野角を広げることを目的とした階調液晶表示パネルも提案されている（例えば、特許文献１を参照）。特許文献１に記載の階調液晶表示パネルにおいては、画素電極を副画素電極に分割してこれらに異なる比率で駆動電圧を印加し、さらに、各副画素電極毎に或いは副画素電極内で、プレティルト角を異ならせたり、ラビング方向を逆にしたりしている。
【特許文献１】特開平６−３３２００９号公報
【発明の開示】
【発明が解決しようとする課題】
【０００４】
しかしながら、特許文献１をはじめとする副画素電極に異なる比率で駆動電圧を印加する技術を採用しようとして、副画素電極間の電圧を極端に異なる値に設定してしまうと、コントラストの視野角特性を改善する一方で画素間の階調の差分が極端に大きくなるために、副画素間で明暗の模様が視認されてしまい、ユーザに十分な高画質の映像を提供することが困難となる。特に、パーソナルコンピュータ（ＰＣ）の画面として頻繁に表示する静止画については、それをユーザが鑑賞する際に上述のごとき明暗の模様が強調視されてしまい、細かい文字や斜めエッジがギザギザに見えてしまう。
【０００５】
また、画面を正面から鑑賞するのと同時に画面を斜めから鑑賞した場合には、副画素間の混色によって発生する混合色の色合いが不自然になってしまう。特に、肌色等の中間色の色合いは、目標とする色相からずれてしまう。
【０００６】
本発明は、上述のごとき実情に鑑みてなされたものであり、単位画素それぞれに複数の副画素を有する階調表示可能な液晶表示パネルを備えた液晶表示装置において、ユーザ選択或いは本体で表示するべき映像の種類を検出した結果選択した表示モードなど、表示対象となる映像情報に応じ、その映像情報に対して要求される画質及び解像度での映像表示を、副画素間電圧比を最適化することで可能にし、且つ、視野角特性を改善するためにこの副画素間電圧比を最適化したことによって生じ得る、階調特性（γ特性）の変化（特に中間調の変化が著しい）による階調特性の浮き、若しくは沈み現象を解消することを可能にすることをその目的とする。
【課題を解決するための手段】
【０００７】
本発明は、上述のごとき課題を解決するために、以下の各技術手段でそれぞれ構成される。
第１の技術手段は、ソース電極とゲート電極とに接続された単位画素を複数有し、且つ各単位画素内に複数の副画素を有する階調表示可能な液晶表示パネルと、表示対象となる映像情報に応じて、前記液晶表示パネルにおける映像情報の表示制御を行う制御手段とを備えた液晶表示装置であって、前記単位画素内に構成される複数の副画素それぞれに対し、前記ソース電極から供給される階調電圧に加え、所定の電圧値の電圧を個別に供給する電圧供給手段を備え、前記制御手段は、前記映像情報に応じて、前記電圧供給手段で供給される前記電圧値を副画素個別に調整する調整手段と、該調整手段の調整処理によって変更された単位画素の階調特性を補正する階調特性補正手段とを有することを特徴としたものである。
【０００８】
第２の技術手段は、第１の技術手段において、前記電圧供給手段は、前記単位画素内における各副画素が別々に接続された補助容量基準電極を有し、各補助容量基準電極から前記電圧値を各副画素別に供給することを特徴としたものである。
【発明の効果】
【０００９】
本発明によれば、単位画素それぞれに複数の副画素を有する階調表示可能な液晶表示パネルを備えた液晶表示装置において、ユーザ選択或いは本体で表示するべき映像の種類を検出した結果選択した表示モードなど、表示対象となる映像情報に応じ、その映像情報に対して要求される画質及び解像度での映像表示が、副画素間電圧比を最適化することで可能になり、さらに、視野角特性を改善するためにこの副画素間電圧比を最適化したことによって生じ得る、階調特性（γ特性）の変化（特に中間調の変化が著しい）による階調特性の浮き、若しくは沈み現象を解消することが可能となる。
【発明を実施するための最良の形態】
【００１０】
本発明に係る液晶表示装置は、次の階調表示可能な液晶表示パネル、電圧供給手段、並びに制御手段を備えるものとする。この液晶表示パネルは、ソース電極とゲート電極とに接続された単位画素を複数有し、且つ、各単位画素内に複数の副画素を有する。また、制御手段は、液晶表示パネルでの表示対象となる映像情報に応じて、液晶表示パネルにおける映像情報の表示制御を行う。
【００１１】
そして、電圧供給手段は、単位画素内に構成される複数の副画素それぞれに対し、所定の電圧値の電圧を個別に供給する。従って、この液晶表示パネルには、ゲート電極から供給される電圧並びにソース電極から供給される階調電圧に加え、この電圧供給手段によって副画素個別に供給される電圧が印加されることとなる。この電圧は、各副画素に設けた補助容量に対して印加すればよく、従って、この電圧供給手段は補助電圧供給手段ともいえる。そして、本発明における制御手段は、映像情報に応じて、電圧供給手段で供給される電圧値を副画素個別に調整する調整手段と、調整手段の調整処理によって変更された単位画素の階調特性を補正する階調特性補正手段とを有する。
【００１２】
図１は、本発明の一実施形態に係る液晶表示装置の一構成例を示すブロック図で、図中、１は映像信号入力部、２はユーザ操作部、３はマイクロコンピュータ（以下、マイコンという）、４はコントローラ、５はソースドライバ（ソース駆動回路）、６はＲＯＭ、７は補助容量信号発生回路、８は液晶表示パネル、９はゲートドライバ（ゲート駆動回路）、１０はγ特性補正部、１０ａは基準階調電圧発生部、１０ｂは基準階調電圧発生部１０ａ用のＲＯＭである。
【００１３】
また、図２は、図１の液晶表示装置における液晶表示パネルの等価回路の一例を示す図で、図中、Ｐは単位画素、ＰＡは副画素Ａ、ＰＢは副画素Ｂ、Ｓ１，Ｓ２はソース電極、Ｇ1はゲート電極、ＨＡは副画素Ａに対する補助容量基準電極、ＨＢは副画素Ｂに対する補助容量基準電極、ＬＡは副画素Ａの液晶層、ＬＢは副画素Ｂの液晶層、ＴＡは副画素ＡのＴＦＴ、ＴＢは副画素ＢのＴＦＴ、ＣＡは副画素Ａの補助容量、ＣＢは副画素Ｂの補助容量である。
【００１４】
図１で例示する液晶表示装置は、映像信号入力部１及び液晶表示パネル８に加え、上述した制御手段の一例として、ユーザ操作部２、マイコン３、コントローラ４、ソースドライバ５、ゲートドライバ９、及びγ特性補正部１０を備えたアクティブマトリクス型の構成となっており、さらには上述した電圧供給手段の一例として、ＲＯＭ６及び補助容量信号発生回路７を備える。
【００１５】
ユーザ操作部２は、表示対象となる映像情報に対する表示モードを選択する選択操作を、ユーザから受け付ける。そして、調整手段は、ユーザ操作部２で選択された表示モードの種別に応じて、電圧供給手段で供給される電圧値を副画素個別に調整する。この調整手段は、ユーザ操作部２で受け付けたモード選択操作に応じた制御信号をコントローラ４へ送るマイコン３で例示する。
【００１６】
映像信号入力部１は、ユーザによる指示操作やデフォルト設定などにより表示対象となっている動画像又は静止画像の映像信号を入力し、コントローラ４に出力する。ここで、ユーザ操作部２からの表示モード選択以外の指示操作によって、入力される映像信号を切り替えればよい。この指示操作としては、例えばリモートコントローラ（以下、リモコンという）の電源ボタン２ａにより電源が投入された時点で直前の設定を読み出して入力映像信号を選択することや、方向指示及び決定キー２ｃや選局及びポジションキー２ｄによって、電源投入後に入力映像信号を選択することなどが挙げられる。
【００１７】
ユーザ操作部２では、表示モード選択を、例えばリモコンのモード切替ボタン２ｂや方向指示及び決定キー２ｃなどによって選択して、その結果をマイコン３に送るようにしてもよい。表示モードは、テレビ，ビデオ１，ビデオ２，ＰＣといった入力ソースの切替に応じて選択されるように設定してもよい。この場合、マイコン３は、モード切替ボタン２ｂの代わりに或いは別途、入力ソース切替ボタンを具備しておき、その操作に応じて、テレビモード／ビデオモード／ＰＣモードの入力ソースにそれぞれ対応する表示モードを判定する。また、入力ソース切替ボタンは、例えば、押下する度に、テレビモード，ビデオ１モード，ビデオ２モード，ＰＣモードの順で繰り返されるようなボタンでよい。さらに、喩えその入力ソースが同じ（例えば入力ソースが同じテレビ）であっても、ユーザが好みで選んだ表示モードを選択できるようにすることで、ユーザ好みの表示制御がなされるので好ましい。
【００１８】
マイコン３は、ユーザ操作部２からの表示モード選択の結果に基づいてコントローラ４に命令を発してコントローラ４を制御する。コントローラ４は、ソースドライバ５及びゲートドライバ９の制御に加え、補助容量信号発生回路７を制御することで、液晶表示パネル８での表示対象となる映像情報（すなわち映像信号入力部１で入力された映像信号）に対し、ユーザ操作部２での表示モード選択結果に応じて、液晶表示パネル８の表示制御を行う。
【００１９】
コントローラ４は、例えば、駆動電圧生成部、駆動信号生成部、及びＬＵＴ（Ｌｏｏｋ  Ｕｐ  Ｔａｂｌｅ）から構成される（図示せず）。駆動電圧生成部は、液晶表示パネル８のソース電極に印加する駆動用の電圧値を生成し、ソースドライバ５にその電圧値を送る。ＬＵＴは、画像データを液晶表示パネル８に表示する際に、広視野角での階調特性を確保できるように表示データである画像データを変換するための変換テーブルである。つまり、ＬＵＴは、駆動信号生成部に入力される画像データと同じデータが入力され、この入力された画像データに基づいて変換テーブルで参照した結果を駆動信号生成部に送信するようになっている。
【００２０】
駆動信号生成部は、画素データ変換部、水平同期信号生成部、及び垂直同期信号生成部で構成される（図示せず）。画素データ変換部は、入力される画像データをＬＵＴの参照結果に基づいて変換し、ソース駆動用の画像データとしてソースドライバ５に送るようになっている。水平同期信号生成部は、入力される画像データから、データの取り込みを制御するためのソースクロック、データの開始を示すソーススタートパルス、ソース出力の切り替えを制御するラッチパルス等のソース駆動用の水平同期信号を生成して、生成した信号（ソース駆動用の制御信号）をソースドライバ５に送るようになっている。また、垂直同期信号生成部は、入力される画像データから、印加するゲートバスラインのシフトのタイミングを示すゲートクロック、フレームの切り替えの開始を示すゲートスタートパルス等のゲート駆動用の垂直同期信号を生成して、生成した信号（ゲート駆動用の制御信号）をゲートドライバ９に送るようになっている。このように、駆動信号生成部は、映像信号入力部１で入力された映像情報（画像データ）とＬＵＴの参照結果とに基づいてソースドライバ５及びゲートドライバ９を動作させる駆動用の信号を生成し、それぞれに出力する。なお、本発明においては、本発明に係る映像情報（ここでは表示モードで例示している）に基づいた表示制御（並びに後述する階調特性補正制御）の存在により、駆動信号生成部では少なくとも入力された画像データをそのまま各副画素に対する値として出力すればよいことから、ＬＵＴでのデータ変換が実行されなくても、すなわちＬＵＴを備えなくてもよい。また、ＬＵＴでのデータ変換を実行する際には、本発明に係る映像情報に基づいた表示制御（並びに後述する階調特性補正制御）を考慮して行う必要がある。
【００２１】
ソースドライバ５は、駆動信号生成部からの信号と駆動電圧生成部で生成された駆動電圧値とに基づいて、液晶表示パネル８を駆動するために、液晶表示パネル８に垂直に配置されたソースバスラインに、駆動信号生成部から送られた電圧値の電圧を印加する回路である。
【００２２】
ゲートドライバ９は、駆動信号生成部からの信号に基づいて、液晶表示パネル８を駆動するために、液晶表示パネル８に水平に配置されたゲートバスラインに、アクティブマトリクス駆動用の電圧を印加する回路である。つまり、ゲートバスラインには、駆動信号生成部からの信号に基づいて、選択的に電圧が印加されることになる。
【００２３】
液晶表示パネル８は、複数の単位画素がマトリクス状に配置されたアクティブマトリクス型の表示パネルであり、ソースドライバ５及びゲートドライバ９によって、ソースバスライン（ソース電極）及びゲートバスライン（ゲート電極）に電圧が印加されることにより動作し、入力された映像情報に基づいた映像を表示するようになっている。すなわち、液晶表示パネル８は、図２の等価回路において例示するように、ソース電極Ｓ（Ｓ１，Ｓ２，．．．）とゲート電極Ｇ（Ｇ１，Ｇ２（図示せず），．．．）とに接続された単位画素Ｐを複数有する。そして、本発明における液晶表示パネル８は、各単位画素Ｐ内に複数の副画素Ｈ（ここでは副画素ＰＡ，ＰＢの２つで例示）を有する。
【００２４】
副画素ＰＡは、液晶層ＬＡ並びに補助容量ＣＡがＴＦＴ（ＴＡ）に接続されてなる。ＴＦＴ（ＴＡ）のゲート側にはゲート電極Ｇが接続され、ソース側にはソース電極Ｓ１が接続され、さらに、補助容量ＣＡの他端が補助容量基準電極ＨＡに接続されて、液晶層ＬＡに印加される電圧が補助的に調整されるようになっている。副画素ＰＢも同様に、液晶層ＬＢ並びに補助容量ＣＢがＴＦＴ（ＴＢ）に接続されてなる。ＴＦＴ（ＴＢ）のゲート側にはゲート電極Ｇが接続され、ソース側にはソース電極Ｓ１が接続され、さらに、補助容量ＣＢの他端が補助容量基準電極ＨＢに接続されて、液晶層ＬＢに印加される電圧が補助的に調整されるようになっている。この形態では、上述した電圧供給手段として、例えば、液晶表示パネル８において補助容量基準電極を備えておき、補助容量信号発生回路７により、ＲＯＭ６から読み出した電圧値を各補助容量基準電極から各副画素別に供給するよう構成している。
【００２５】
このように、液晶表示パネル８は、垂直方向に配列されたソース電極Ｓ１，Ｓ２，．．．と、水平方向に配列されたゲート電極Ｇ１，Ｇ２，．．．とが直交し、その交点に画素電極及び画素電極を駆動するトランジスタが配置された構造となっている。そして、１本のゲート電極Ｇ（例えばＧ１）で２列の副画素電極に対してゲートドライバ９からの駆動電圧を印加できるようになっている。つまり、赤（Ｒ），緑（Ｇ），青（Ｂ）の画素電極は、それぞれが２個に分割された副画素ＰＡ及び副画素ＰＢで１つの画素Ｐを構成している。これら副画素ＰＡ，ＰＢの平均値によって、画素Ｐにおける表示がなされる。
【００２６】
そして、補助容量信号発生回路７は、ユーザ選択された表示モードの種別に応じたコントローラ４からの調整制御に基づいて、副画素ＰＡに対する補助容量基準電極ＨＡ、副画素ＰＢに対する補助容量基準電極ＨＢのそれぞれに対し、調整制御に対する所定の電圧値（ＰＡ，ＰＢ用）のセットを複数予め格納したＲＯＭ６を参照して、所定の電圧値の電圧を個別に供給する。補助容量信号発生回路７用のＲＯＭ６は、表示モードの種別に応じた各補助容量基準電極に送る電圧値をそれぞれ保存しておく。従って、この液晶表示パネル８には、ゲート電極から供給される電圧並びにソース電極から供給される階調電圧に加え、補助容量信号発生回路７によって副画素個別に供給される電圧が印加されることとなる。この電圧は、各副画素に設けた補助容量に対して印加すればよい。また、各副画素に供給される所定値の電圧は、各副画素のペアに対して極性を異ならせて供給される電圧であるようにＲＯＭ６内にデータを格納しておいてもよい。
【００２７】
しかしながら、上述のごとき制御だけでは、補助容量信号発生回路用のＲＯＭに記憶された電圧値を映像信号に加算することにより、各副画素には実際の映像信号に対し微妙に異なった電圧値が供給されるので、各階調の電圧値が理想的なγ特性からズレることになる。特に、低階調数におけるズレは影響が大きい。このため、この低階調のγ特性を補正することが好ましい。従って、本実施形態では、このようなγ特性補正が実行可能とする。なお、以下の説明では、上述のごときユーザによる表示モード選択に基づく表示制御をベースとして説明するが、後に例示するように、映像情報に応じた表示制御が可能であればよい。
【００２８】
γ特性補正手段は、調整手段において映像情報に応じて電圧供給手段で供給される電圧値を副画素個別に調整する処理を補うための手段であり、調整手段における調整処理によって変更される単位画素の階調特性を補正する手段である。本実施形態は、このγ特性補正手段として、基準階調電圧発生部１０ａ及びそれ用のＲＯＭ１０ｂを有するγ特性補正部１０（コントローラ４内に或いは一部をソースドライバ５内に具備してもよい）を備え、このγ特性補正部１０が基準階調電圧を変更可能なよう構成されているものとする。
【００２９】
ここで、本実施形態における制御手段は、ユーザ操作部２で受け付けたモード選択操作に応じた制御信号を、コントローラ４及び基準階調電圧発生部１０ａへ送るマイコン３で例示する。
【００３０】
マイコン３は、ユーザ操作部２からの表示モード選択の結果に基づいてコントローラ４に命令を発してコントローラ４を制御すると共に、γ特性補正部１０（基準階調電圧発生部１０ａ）に対しても表示モード選択結果に基づく命令を発して制御を行う。
【００３１】
基準階調電圧発生部１０ａでは、０〜２５５までの階調数のうち、任意に抽出された複数の階調数に対して予め基準電圧値を割り当てる。例えば、階調数１６，３２，４８に対し、基準電圧値としてＶ１６，Ｖ３２，Ｖ４８を割り当て、Ｖ３２は、Ｖ１６〜Ｖ４８の間の電圧値に設定する。そして、この一連の基準階調電圧が基準階調電圧発生部１０ａ用のＲＯＭ１０ｂに各モード或いは検出した映像信号毎に書き込まれ、各モード毎に例えばＶ３２という値を調整することができる。この手法によっても、一旦所定値電圧が加算された映像信号に対して、理想的なγ特性に補正することが可能になる。次に、本実施形態の特徴としてのγ特性補正部における処理例について詳細に説明する。
【００３２】
図３は、図１の液晶表示装置におけるγ補正処理の一例を説明するための図で、図中、１０ｃは、このγ補正処理に用いられる基準階調データによる補正（基準階調電圧による補正）の例としての、入力階調に対する３つの基準階調データの例を示す表である。
【００３３】
表１０ｃのように、入力階調に対し、基準階調データ１，基準階調データ２，基準階調データ３がＲＯＭ１０ｂに格納されている。例えば、基準階調データ１は、入力された階調データに対し、補助容量の基準電極に印加する電圧の電位差が小さい場合に適用される基準階調電圧のデータの例である。０，３２，６４，９６，１２８，１９２，２５５の入力階調データに対し、それぞれ９００，６００，４００，３００，２５０，１８０，１００の基準階調電圧とするデータが用意されている。
【００３４】
また、基準階調データ２は、入力された階調データに対し、補助容量の基準電極に印加する電圧の電位差が中程度の場合に適用される基準階調電圧のデータの例である。０，３２，６４，９６，１２８，１９２，２５５の入力階調データに対し、それぞれ９００，７００，４５０，３５０，２７０，１９０，１００の基準階調電圧とするデータが用意されている。また、基準階調データ３は、入力された階調データに対し、補助容量の基準電極に印加する電圧の電位差が大きい場合に適用される基準階調電圧のデータの例である。０，３２，６４，９６，１２８，１９２，２５５の入力階調データに対し、それぞれ９００，８００，５００，４００，３００，２００，１００の基準階調電圧とするデータが用意されている。
【００３５】
基準階調電圧発生部１０ａは、マイコン３から出力された制御信号（ユーザ操作部２で受け付けたモード選択操作に応じた制御信号）に基づいて、ＲＯＭ１０ｂからその制御信号に対応する基準階調データを選択し、ソースドライバ５に出力する。例えばマイコン３の制御レベルとして電位差１，電位差２，電位差３といった電位差によって制御信号が送られてくるとき、そのそれぞれの電位差に対応する基準階調データ１，基準階調データ２，基準階調データ３をＲＯＭ１０ｂから読み出し、ソースドライバ５に出力する。
【００３６】
図４は、図１の液晶表示装置における基準階調電圧発生部に対応したソースドライバにおける階調電圧発生部の例を示す図である。図中、２０は基準階調電圧発生部１０ａに対応したソースドライバ５における電圧発生部の例である。
【００３７】
電圧発生部２０は、０，３２，６４，９６，１２８，１９２，２５５の各入力階調データを入力するための端子ＶＡ０，ＶＡ３２，．．．，ＶＡ２５５を有する。これらの端子はそれぞれ抵抗Ｒａ，Ｒｂ，．．．，Ｒｇに入力される。そして、それらの階調間の細区分のためにさらに抵抗を備える。例えば、端子ＶＡ０と端子ＶＡ３２との間で、細かな出力電圧を制御するために、抵抗ｒ１，ｒ２，．．．，ｒ３２を有する。
【００３８】
基準階調電圧発生部１０ａはマイコン３からの制御信号に対し、ＲＯＭ１０ｂを参照して、各入力階調に対応する基準階調データを得て、その電圧値をソースドライバ５に出力する。それに対し、電圧発生部２０では、各入力階調に対応する表１０ｃで例示した入力電圧（基準階調データ１で例示すると９００，６００，４００，３００，２５０，１８０，１００Ｖ）がそれぞれ端子ＶＡ０，ＶＡ３２，．．．，ＶＡ２５５に入力され、さらに、コントローラ４から同時に受け取る画像データに基づいて、出力端子Ｖｄ０，Ｖｄ1，．．．，Ｖｄ２５５のいずれかを選択する。このような処理により、基準となる階調電圧自体を補正（γ特性補正）し、さらに補助容量信号発生回路７により画像データ（映像情報）に応じた（但しこの例では表示モードに応じた）各副画素別の補助容量基準電圧を印加することが可能となる。
【００３９】
図５は、図１の液晶表示装置における基準階調電圧発生部の主要部の例を示す図である。図中、２１は基準階調電圧発生部１０ａにおける電圧発生部の例、２２ａ，２２ｂ，．．．はＤ／Ａコンバータ（ＤＡＣ）、２３ａ，２３ｂ，．．．はアンプである。
【００４０】
図５で例示する電圧発生部２１は、図４の電圧発生部２０と異なり、基準となる階調電圧自体は変えず、各階調間の線分に基づいた階調を、ＤＡＣ及びアンプによるデジタル制御によって変更させることで補正（γ特性補正）を行う。例えば、入力階調データが３２である場合には、電圧発生部２１にはＶＡ３２データ（基準階調データ１で例示すると６００というデータ）がＤＡＣ２２ｂに入力され、アンプ２３ｂで増幅されることで、出力電圧Ｖｄ３２としてソースドライバ５に出力される。各ＤＡＣでの変換値はマイコン３側から与えてやればよい。この処理は、図４で説明した処理に比べて、重たい処理となるが、８ｂｉｔであれば８ｂｉｔのまま出力される。このような処理により、基準となる階調電圧をその入力信号を補正することで補正（γ特性補正）し、さらに補助容量信号発生回路７により画像データ（映像情報）に応じた（但しこの例では表示モードに応じた）各副画素別の補助容量基準電圧を印加することが可能となる。
【００４１】
図６は、図１の液晶表示装置における制御の例を説明するためのフロー図である。本実施形態に係る液晶表示装置は、上述のごとき構成により、ユーザによる表示モード（映像モードともいえる）の選択操作（ステップＳ１）がなされることで、制御が開始される。以下、選択・切替される表示モードとして、シアタモード（例えばハイビジョン放送表示用の表示モードに対応）、ＰＣモード、及び通常放送モードを用意した例を挙げて説明する。
【００４２】
ステップＳ１でシアタモードが選択された場合（ステップＳ２でＹＥＳ）、シアタモード用の補助容量基準電極制御データ及びシアタモード用の階調基準電圧制御データの読み込みを行い（ステップＳ３）、それらのデータを出力処理する（ステップＳ４）。ステップＳ２でＮＯであった場合、ＰＣモードが選択されたか否かの判定を行う（ステップＳ５）。ＰＣモードが選択された場合、ＰＣモード用の補助容量基準電極制御データ及びＰＣモード用の階調基準電圧制御データの読み込みを行い（ステップＳ６）、それらのデータを出力処理する（ステップＳ４）。さらに、ステップＳ５でＮＯであった場合、残りの通常放送モードが選択されたと判定されたことになり、通常放送モード用の補助容量基準電極制御データ及び通常放送モード用の階調基準電圧制御データの読み込みを行い（ステップＳ７）、それらのデータを出力処理する（ステップＳ４）。
【００４３】
また、ステップＳ４で、１フレーム毎又は１フィールド毎（液晶表示パネル８に入力される画面データの単位毎）に互いの補助容量基準電極ＨＡ，ＨＢへの印加電圧を切り替えて補助容量基準電極制御データ及び階調基準電圧制御データを出力処理することにより、補助容量電極の電圧差による明暗差を抑制するよう制御してもよい。この形態では、制御手段に、調整手段での電圧値を所定フレーム数毎に副画素間で切り替える切替手段を備えればよい。この制御手段は、例えば、対となる互いの副画素に対して個別に供給される所定値の電圧が所定フレーム数毎に交互に切り換えられて供給されるように制御する。
【００４４】
図７は、本発明による副画素間の電圧差強調処理を従来例と比較するための図で、図中、３１は従来例による階調毎の輝度比の視野角による変動をＶＡ（垂直配向）液晶を例にとって説明するためのグラフ図、３２は、副画素間の電圧差強調処理（通常放送モード処理及びシネマモード処理）による階調毎の輝度比の視野角による変動を説明するためのグラフ図、３２ａはその強調処理での各副画素の明暗差の模式図、３３は、副画素間の電圧差を若干強調した処理（ＰＣモード処理）による階調毎の輝度比の視野角による変動を説明するためのグラフ図、３３ａはその強調処理での各副画素の明暗差の模式図、３４はそれらの処理にさらにフレーム／フィールド切替処理を施した場合の各副画素の明暗差の模式図である。また、図７において、実線は０°（正面視）の場合、破線は±４５°の場合、点線は±６０°の場合をそれぞれ示す。
【００４５】
図７を参照すると、通常放送モード処理及びシネマモード処理における制御では、副画素間の補助容量基準電極の電圧差による明暗差がより強く発生し易くする。その一方で、広視野角でのコントラストの低下をより解消すること、すなわち斜めから見たときのコントラストを改善することができる。このような制御は、より広視野角が要求される動画像の仕様に好適である。この制御に対しては、１フレーム毎又は１フィールド毎（液晶表示パネル８に入力される画面データの単位毎）に互いの補助容量基準電極ＨＡ，ＨＢへの印加電圧を切り替えることで、図７において符号３４で例示したように、見た目の補助容量電極の電圧差による明暗差を抑制することができる。
【００４６】
また、ＰＣモード処理における制御では、副画素間の補助容量基準電極の電圧差による明暗差を上述の処理より若干抑える。副画素間の濃淡差の出現を抑えながら、広視野角でのコントラストの低下を解消すること、すなわち斜めから見たときのコントラストを改善することができる。このような制御は、一人で使用する場合が多いＰＣなど、すなわち静止画像の仕様に好適である。そして、この制御に対しても、１フレーム毎又は１フィールド毎（液晶表示パネル８に入力される画面データの単位毎）に互いの補助容量基準電極ＨＡ，ＨＢへの印加電圧を切り替えることで、図７において符号３４で例示したように、見た目の補助容量電極の電圧差による明暗差を抑制することができる。
【００４７】
図８は、図１乃至図７で説明したγ特性補正処理を施した場合とそうでない場合とを比較するための図で、図８（Ａ）は、副画素間の電圧差強調処理（通常放送モード時及びシネマモード時）をγ特性補正無しで施した場合の、階調毎の輝度比の視野角による変動を説明するためのグラフ図、図８（Ｂ）は、副画素間の電圧差強調処理（同モード）を本発明によるγ特性補正付きで施した場合の、階調毎の輝度比の視野角による変動を説明するためのグラフ図である。また、図８において、実線は０°（正面視）の場合、破線は±４５°の場合、点線は±６０°の場合をそれぞれ示す。
【００４８】
図８（Ａ）に示すように、副画素間電圧差強調処理のみを施した場合には、各副画素に階調電圧以外の電圧（補助容量成分電圧）を加算しているために、γ特性が理想曲線（理想のγカーブ（γ＝２.２〜２.４））から離れた曲線を描いていることが分かる。一方、副画素間電圧差強調処理とγ特性補正処理とを組み合わせた処理を施した場合には、図８（Ｂ）で０°，±４５°，±６０°のいずれの場合でもその理想のγカーブに近づいていることが見てとれるように、一旦視野角改善のために各副画素に階調電圧補正を施した結果生じた、γ特性のズレに対し、理想的なγ特性へと補正することが可能になり、各モードに適したγ特性を提供することが可能となる。本実施形態によれば、視野角特性を改善するためにこの副画素間電圧比を最適化したことによって生じ得る、階調特性（γ特性）の変化（特に中間調の変化が著しい）による階調特性の浮き、若しくは沈み現象を解消することが可能となる。
【００４９】
以上、本実施形態によれば、マルチ画素駆動方式の液晶表示装置において、ユーザが選択したり、或いは本体で表示するべき映像の種類を検出した結果など、映像情報に応じて、適切な視野角特性と階調特性を提供でき、特に垂直配向モード等の液晶を用いた際に生じる正面視に対する斜めから見た際の階調特性変化に伴う白浮き現象を解消することが可能となり、また選択した映像情報に応じた階調特性及び副画素間の濃淡差の解消及びノーマリーブラックモード時の高コントラスト特性を自動的に提供することもできる。そして、本発明の主たる効果として、この効果と同時に、この調整処理によって乱れた単位画素の階調特性を補正することで映像情報ごとに適切な階調特性を提供することが可能になる。すなわち、視野角特性を改善するためにこの副画素間電圧比を最適化したことによって生じた、階調特性（γ特性）の変化（特に中間調の変化が著しい）による階調特性の浮き、若しくは沈み現象を解消することが可能になる。また、上述のごとき補助容量基準電極を備えることで、副画素毎にソース電極ラインを設けたり、また副画素毎にソース電圧の階調変換を行う必要が無く、上述の効果を得ることができる。
【００５０】
次に、γ特性補正を実行可能な他の実施形態について説明する。なお、ここで説明するγ特性補正の説明においても、図１乃至図８を参照して説明した実施形態（ユーザによる表示モード選択に基づく表示制御）をベースに行うが、他の実施形態にも同様に適用可能である。また、この実施形態では、説明の簡略化のため、図１乃至図８を用いて説明した実施形態と異なる部分を中心にして説明する。
【００５１】
図９は、本発明の他の実施形態に係る液晶表示装置の一構成例を示すブロック図で、図中、４０はγ特性補正部、４０ａは階調変換部、４０ｂは階調変換部４０ａ用のＲＯＭ、４１は映像信号入力部、４２はユーザ操作部、４３はマイコン、４４はコントローラ、４５はソースドライバ、４６はＲＯＭ、４７は補助容量信号発生回路、４８は液晶表示パネル、４９はゲートドライバである。
【００５２】
本実施形態に係る液晶表示装置は、図１乃至図８を参照して説明した実施形態に係る液晶表示装置において、他のγ特性補正手段（階調特性補正手段）を備えるものとする。このγ特性補正手段は、調整手段において映像情報に応じて電圧供給手段で供給される電圧値を副画素個別に調整する処理を補うための手段であり、調整手段における調整処理によって変更される単位画素の階調特性を補正する手段である。本実施形態は、このγ特性補正手段として、階調変換部４０ａ及びそれ用のＲＯＭ４０ｂを有するγ特性補正部４０（コントローラ４４内に具備してもよい）を備え、このγ特性補正部４０が階調データを変更可能なよう、例えば表示映像の色判別により電位差を調整するよう、構成されているものとする。その他の処理については説明した通りであり、その説明を簡略化する。
【００５３】
また、本実施形態における制御手段は、ユーザ操作部４２で受け付けたモード選択操作に応じた制御信号を、コントローラ４４及び階調変換部４０ａへ送るマイコン４３で例示する。また、操作受付手段は、前述の実施形態と同様にユーザ操作部４２で例示する。また、映像信号入力部４１は、電源ボタン４２ａ，メニューボタン４２ｂ，方向指示及び決定キー４２ｃ，選局及びポジションキー４２ｄ等でなるリモコンなども含め、前述の実施形態と同様である。
【００５４】
マイコン４３は、ユーザ操作部４２からの表示モード選択の結果に基づいてコントローラ４４に命令を発してコントローラ４４を制御すると共に、γ特性補正部４０（階調変換部４０ａ）に対しても表示モード選択結果に基づく命令を発して制御を行う。コントローラ４５は、ソースドライバ４５及びゲートドライバ４９の制御に加え、補助容量信号発生回路４７を制御することで、液晶表示パネル４８での表示対象となる映像情報（すなわち映像信号入力部４１で入力された映像信号）に対し、ユーザ操作部４２での表示モード選択結果に応じて、液晶表示パネル４８の表示制御を行う。また、コントローラ４４は、上述したように、例えば、駆動電圧生成部、駆動信号生成部、及びＬＵＴ（Ｌｏｏｋ  Ｕｐ  Ｔａｂｌｅ）から構成される（図示せず）。さらに、ソースドライバ４５及びゲートドライバ４９、さらには補助容量信号発生回路４７も上述した通りであり、液晶表示パネル４８は、図２の等価回路と共に説明した通りである。
【００５５】
階調変換部４０ａでは、０〜２５５までの階調数に対して予め補正値を割り当てておき、その補正値による映像情報（画像データ）の補正結果をコントローラ４４に出力する。すなわち、低階調のγ特性を補正するために、階調変換部４０ａ用のＲＯＭ４０ｂに、階調毎に異なる階調値を設けている。この手法によっても、一旦所定値電圧が加算された映像信号に対して、理想的なγ特性に補正することが可能になる。次に、本実施形態の特徴としてのγ特性補正部における処理例について詳細に説明する。
【００５６】
図１０は、図９の液晶表示装置におけるγ補正処理の一例を説明するための図で、図中、４０ｃは、このγ補正処理に用いられる階調補正データによる補正（γテーブルによる補正）の例としての、入力階調に対する３つの階調補正データの例を示す表である。
【００５７】
表４０ｃのように、入力階調に対し、階調補正データ１，階調補正データ２，階調補正データ３がＲＯＭ４０ｂに格納されている。例えば、階調補正データ１は、入力された階調データに対し、補助容量の基準電極に印加する電圧の電位差が小さい場合に適用される出力階調のデータの例である。０，１，２，３，４，．．．，５０，５１，５２，．．．，２５５の入力階調データに対し、それぞれ０，２，４，６，８，．．．７０，７１，７２，．．．，２５５の出力階調データが用意されている。
【００５８】
また、階調補正データ２は、入力された階調データに対し、補助容量の基準電極に印加する電圧の電位差が中程度の場合に適用される出力階調のデータの例である。０，１，２，３，４，．．．，５０，５１，５２，．．．，２５５の入力階調データに対し、それぞれ０，１，３，５，７，．．．６０，６１，６２，．．．，２５５の出力階調データが用意されている。また、階調補正データ３は、入力された階調データに対し、補助容量の基準電極に印加する電圧の電位差が大きい場合に適用される出力階調のデータの例である。０，１，２，３，４，．．．，５０，５１，５２，．．．，２５５の入力階調データに対し、それぞれ０，１，２，３，４，．．．，５０，５１，５２，．．．，２５５の出力階調データが用意されている。
【００５９】
階調変換部４０ａは、マイコン４３から出力された制御信号（ユーザ操作部４２で受け付けたモード選択操作に応じた制御信号）に基づいて、ＲＯＭ４０ｂからその制御信号に対応する階調補正データを選択し、コントローラ４４に出力する。例えばマイコン４３の制御レベルとして電位差１，電位差２，電位差３といった電位差によって制御信号が送られてくるとき、そのそれぞれの電位差に対応する階調補正データ１，階調補正データ２，階調補正データ３をＲＯＭ４０ｂから読み出し、コントローラ４４に出力する。
【００６０】
本実施形態に係る液晶表示装置は、上述のごとき構成により、図６の制御フローと同様に、ユーザによる表示モードの選択操作がなされることで、制御が開始される。本実施形態に係るγ特性補正処理は、図６の制御フローにおいて、各モード用のデータを読み込む際に、補助容量基準電極制御データ及び階調基準電圧制御データではなく、補助容量基準電極制御データ及び階調補正制御データの読み込みを行い、それらのデータを出力処理する。また、１フレーム毎又は１フィールド毎（液晶表示パネル４８に入力される画面データの単位毎）に互いの補助容量基準電極ＨＡ，ＨＢへの印加電圧を切り替えて補助容量基準電極制御データ及び階調補正制御データを出力処理する形態も、同様に適用可能であり、補助容量電極の電圧差による明暗差を抑制するよう制御してもよい。また、本実施形態に係るγ特性補正処理においても、図８で例示したように、０°，±４５°，±６０°のいずれの場合でもその理想のγカーブに近づく。
【００６１】
また、本発明に係るγ特性補正を実行可能な実施形態としては、図１乃至図８を用いて説明した実施形態と図９及び図１０を用いて説明した実施形態とを組み合わせてもよく、そのような実施形態を簡単に説明する。その詳細は、元となる実施形態を参照することで理解できる。
【００６２】
図１１は、本発明の他の実施形態に係る液晶表示装置の一構成例を示すブロック図で、図中、５０はγ特性補正部、５０ａは階調変換部、５０ｂは階調変換部５０ａ用のＲＯＭ、５０ｃは基準階調電圧発生部、５０ｄは基準階調電圧発生部５０ｃ用のＲＯＭ、５１は映像信号入力部、５２はユーザ操作部、５３はマイコン、５４はコントローラ、５５はソースドライバ、５６はＲＯＭ、５７は補助容量信号発生回路、５８は液晶表示パネル、５９はゲートドライバである。
【００６３】
本実施形態に係る液晶表示装置は、γ特性補正手段として、階調変換部５０ａ及びそれ用のＲＯＭ５０ｂ、並びに基準階調電圧発生部５０ｃ及びそれ用のＲＯＭ５０ｄを有するγ特性補正部５０（コントローラ５４内或いは一部をソースドライバ５５内に具備してもよい）を備え、このγ特性補正部５０が基準階調電圧及び階調データを変更可能なよう構成されているものとする。その他の処理については説明した通りであり、その説明を簡略化する。
【００６４】
また、本実施形態における制御手段は、ユーザ操作部５２で受け付けたモード選択操作に応じた制御信号を、コントローラ５４、階調変換部５０ａ、及び基準階調電圧発生部５０ｃへ送るマイコン５３で例示する。また、操作受付手段は、前述の実施形態と同様にユーザ操作部５２で例示する。また、映像信号入力部５１は、電源ボタン５２ａ，メニューボタン５２ｂ，方向指示及び決定キー５２ｃ，選局及びポジションキー５２ｄ等でなるリモコンなども含め、前述の実施形態と同様である。
【００６５】
マイコン５３は、ユーザ操作部５２からの表示モード選択の結果に基づいてコントローラ５４に命令を発してコントローラ５４を制御すると共に、γ特性補正部５０（階調変換部５０ａ及び基準階調電圧発生部５０ｃ）に対しても表示モード選択結果に基づく命令を発して制御を行う。コントローラ５５は、ソースドライバ５５及びゲートドライバ５９の制御に加え、補助容量信号発生回路５７を制御することで、液晶表示パネル５８での表示対象となる映像情報（すなわち映像信号入力部５１で入力された映像信号）に対し、ユーザ操作部５２での表示モード選択結果に応じて、液晶表示パネル５８の表示制御を行う。
また、コントローラ５４は、例示したように、駆動電圧生成部、駆動信号生成部、及びＬＵＴ（Ｌｏｏｋ  Ｕｐ  Ｔａｂｌｅ）から構成される（図示せず）。さらに、ソースドライバ５５及びゲートドライバ５９、さらには補助容量信号発生回路５７も上述した通りであり、液晶表示パネル５８は、図２の等価回路と共に説明した通りである。
【００６６】
階調変換部５０ａは、マイコン５３から出力された制御信号（ユーザ操作部５２で受け付けたモード選択操作に応じた制御信号）に基づいて、ＲＯＭ５０ｂからその制御信号に対応する階調補正データを選択し、コントローラ５４に出力する。例えばマイコン５３の制御レベルとして電位差１，電位差２，電位差３といった電位差によって制御信号が送られてくるとき、そのそれぞれの電位差に対応する階調補正データ１，階調補正データ２，階調補正データ３をＲＯＭ５０ａから読み出し、コントローラ５４に出力する。
【００６７】
基準階調電圧発生部５０ｃは、マイコン５３から出力された制御信号（ユーザ操作部５２で受け付けたモード選択操作に応じた制御信号）に基づいて、ＲＯＭ５０ｄからその制御信号に対応する基準階調データを選択し、ソースドライバ５５に出力する。例えばマイコン５３の制御レベルとして電位差１，電位差２，電位差３といった電位差によって制御信号が送られてくるとき、そのそれぞれの電位差に対応する基準階調データ１，基準階調データ２，基準階調データ３をＲＯＭ５０ｄから読み出し、ソースドライバ５５に出力する。
【００６８】
本実施形態に係る液晶表示装置は、上述のごとき構成により、図６の制御フローと同様に、ユーザによる表示モードの選択操作がなされることで、制御が開始される。本実施形態に係るγ特性補正処理は、図６の制御フローにおいて、各モード用のデータを読み込む際に、補助容量基準電極制御データ及び階調基準電圧制御データだけではなく、階調補正制御データの読み込みも行い、それらのデータを出力処理する。また、１フレーム毎又は１フィールド毎（液晶表示パネル５８に入力される画面データの単位毎）に互いの補助容量基準電極ＨＡ，ＨＢへの印加電圧を切り替えて、補助容量基準電極制御データ、階調基準電圧制御データ、及び階調補正制御データを出力処理する形態も、同様に適用可能であり、補助容量電極の電圧差による明暗差を抑制するよう制御してもよい。また、本実施形態に係るγ特性補正処理においても、図８で例示したように、０°，±４５°，±６０°のいずれの場合でもその理想のγカーブに近づく。
【００６９】
また、図１乃至図１１で説明した実施形態において、上述した表示モードの種別を、表示対象の映像情報が静止画像であるか或いは動画像であるかの画像種別（映像種別）とすることで、静止画像／動画像に応じた表示制御が可能となる。この表示制御は、この画像種別に応じて、各副画素に供給される所定値の電圧が個別に割り当てる制御となる。また、ユーザによる表示モードの選択によって、例えば副画素間電圧差強調処理を行う表示モードがユーザ選択されることによって、映像信号入力部で入力される入力映像情報が自動的に動画映像となるように、入力ソースを自動的に切り替えるようにしてもよい。
【００７０】
静止画像／動画像に応じた表示制御により、特に垂直配向モード等の液晶を用いた際に生じる正面視に対する斜めから見た際の階調特性変化に伴う白浮き現象を解消し、且つ、動画表示時に要求される白浮き現象の改善と静止画表示時に要求される副画素間の濃淡差の解消及びノーマリーブラックモード時等における高コントラスト特性を提供することが可能になり、ユーザ操作の結果選択したモードに応じた映像表示状態を提供することが可能になる。
【００７１】
また、上述した表示モードの種別の他の例として、表示対象の映像情報がテレビジョン信号であるか或いはＲＧＢ信号であるかの信号種別を採用することで、テレビジョン信号／ＲＧＢ信号に応じた表示制御が可能となる。この表示制御は、この信号種別に応じて、各副画素に供給される所定値の電圧が個別に割り当てる制御となる。なお、ＲＧＢ信号，テレビジョン信号は、一般的にはそれぞれ静止画像，動画像の信号が対応することが多いが、例えば静止画像の連続としての動画像を視聴する場合もある。また、ユーザによる表示モードの選択によって、例えば副画素間電圧差強調処理を行う表示モード（テレビジョン放送を表示する表示モード）がユーザ選択されることによって、映像信号入力部で入力される入力映像情報が自動的にテレビジョン信号となるように、入力ソースを自動的に切り替えるようにしてもよい。
【００７２】
テレビジョン信号／ＲＧＢ信号に応じた表示制御により、特に垂直配向モード等の液晶を用いた際に生じる正面視に対する斜めから見た際の階調特性変化に伴う白浮き現象を解消し、且つ、テレビジョン放送信号時に要求される白浮き現象の改善とＰＣ画面選択時に要求される副画素間の濃淡差の解消及びノーマリーブラックモード時等における高コントラスト特性を提供することが可能になり、ユーザ操作の結果選択したモードに応じた映像表示状態を提供することが可能になる。
【００７３】
また、他の実施形態として、図１乃至図１１を参照して説明した各実施形態に係る液晶表示装置において、表示モードのユーザ選択の代わりに、表示対象となる映像情報を選択する選択操作を、ユーザから受け付ける操作受付手段を備えるようにしてもよい。従って、本実施形態における操作受付手段は、表示制御に係わる選択操作を受け付けることになり、またこの選択操作はユーザの操作によって画面に出力される映像情報を選択するチャンネル操作等の操作に該当する。そして、調整手段は、この操作受付手段で選択された映像情報の種別に応じて、電圧供給手段で供給される電圧値を副画素個別に調整する。例えば、補助容量信号発生回路用のＲＯＭには、映像情報の種別に応じた各補助容量基準電極に送る電圧値をそれぞれ保存しておき、ユーザによる視聴したい映像情報の選択操作がなされることで、制御が開始される。そして、選択される映像情報の種別として、その種別に対応する表示モードが、シアタモード（例えばハイビジョン放送の映像情報に対応）、ＰＣモード、及び通常放送モードであるようにすればよい。その他の処理については、図１乃至図１１での説明を援用すればよく、その説明を省略する。
【００７４】
さらに、他の実施形態として、図１乃至図１１を参照して説明した各実施形態に係る液晶表示装置において、表示モードのユーザ選択の代わりに、表示対象となる映像情報の入力ソースを切り替えるソース切替手段を備えるようにしてもよい。そして、調整手段は、このソース切替手段での切り替えにより選択された入力ソースの種別に応じて、電圧供給手段で供給される電圧値を副画素個別に調整する。例えば、補助容量信号発生回路用のＲＯＭには、入力ソースに応じた各補助容量基準電極に送る電圧値をそれぞれ保存しておき、ユーザによる入力ソースの選択操作がなされることで、制御が開始される。そして、選択される入力ソースの種別として、その種別に対応する表示モードが、シアタモード（例えばハイビジョン放送の映像情報に対応）、ＰＣモード、及び通常放送モードであるようにすればよい。その他の処理については、図１乃至図１１での説明を援用すればよく、その説明を省略する。
【００７５】
さらに、他の実施形態として、図１乃至図１１を参照して説明した各実施形態に係る液晶表示装置において、表示対象となる映像情報に対する表示モードを選択する代わりに、入力信号の判別処理を行う入力信号判定部を備えるようにしてもよい。そして、調整手段は、この判別処理の結果に応じて、電圧供給手段で供給される電圧値を副画素個別に調整する。
【００７６】
この入力信号判定部は、映像信号入力部で入力された画像信号の種類を判別して、マイコンにその判定結果を送信する。ここで実行される判別としては、例えば、動画／静止画の動き検出や映像情報のフォーマットによる判別や、ＲＧＢ信号／テレビジョン信号（或いはその中で高精細テレビジョン信号か否かなど）の判別などであり、この判別によって、後述の補助容量に印加される電圧値が決定される。補助容量信号発生回路用のＲＯＭは、信号種別或いは動作モード等に応じた各補助容量基準電極に送る電圧値をそれぞれ保存しておけばよい。その他の処理については、図１乃至図１１で説明した通りであり、その説明を簡略化する。
【００７７】
次に、上述した各実施形態において説明した、１フレーム毎又は１フィールド毎（液晶表示パネルに入力される画面データの単位毎）に互いの補助容量基準電極ＨＡ，ＨＢへの印加電圧を切り替えて補助容量基準電極制御データ等の制御データを出力処理する形態について、補足的に説明する。
【００７８】
図１２は、本発明に係る液晶表示装置の制御例として通常放送モード及びシネマモードにおける制御例を詳細に説明するための図で、図１２（Ａ）は、垂直同期信号に対する補助容量電極のフレーム毎の制御、並びに水平同期信号に対する階調電圧，各副画素への印加電圧のフレーム毎の制御を説明するためのタイミングチャートで、図１２（Ｂ）は、その制御例をフレーム（ｎ）に対する各副画素の明暗によって説明するための図、図１２（Ｃ）は、その制御例をフレーム（ｎ＋１）に対する各副画素の明暗によって説明するための図である。
【００７９】
図１２（Ｂ），（Ｃ）の左上の赤の副画素Ｒａ及びそれと対となる副画素Ｒｂについて説明すると、フレーム（ｎ）に対しては、垂直同期信号Ｖｓｙｎｃと同時に、補助容量電極ＨＡに電圧Ｖｌｃａが印加され、補助容量電極ＨＢに電圧Ｖｌｃｂが印加され、それらの電圧値Ｖ１，Ｖ２が、フレーム（ｎ＋１）に切り替わることで、逆に切り替えられる。一方、フレーム（ｎ）に対し、水平同期信号（ゲートパルス）Ｈｓｙｎｃと同時に、ソースラインに階調電圧Ｖｓｉｇが送られ、フレーム（ｎ＋１）に対しても、フレーム（ｎ）からの切り替わり時に水平同期信号（ゲートパルス）Ｈｓｙｎｃと同時に、ソースラインに階調電圧Ｖｓｉｇが送られる。
【００８０】
そして、フレーム（ｎ）に対し、水平同期信号Ｈｓｙｎｃと同時に、副画素Ｒａに対しソースラインに階調電圧Ｖｓｉｇに加え補助容量電極ＨＡへの電圧が加算され、副画素Ｒａに対してはＶｓｉｇ−Ｖｌｃａ＝Ｖｓｉｇ−Ｖ１が印加されることとなる。フレーム（ｎ＋１）に移行すると、水平同期信号Ｈｓｙｎｃと同時に、副画素Ｒａに対して印加される電圧はＶｓｉｇ−Ｖｌｃａ＝Ｖｓｉｇ−Ｖ２に切り替わる。その結果、副画素Ｒａは、図１２（Ｂ）に示すようにフレーム（ｎ）で明、図１２（Ｃ）に示すようにフレーム（ｎ＋１）で暗となる。一方、副画素Ｒｂに対しては、フレーム（ｎ）に対し、水平同期信号Ｈｓｙｎｃと同時にソースラインに階調電圧Ｖｓｉｇに加え補助容量電極ＨＢへの電圧が加算され、Ｖｓｉｇ−Ｖｌｃｂ＝Ｖｓｉｇ−Ｖ２が印加されることとなる。フレーム（ｎ＋１）に移行すると、水平同期信号Ｈｓｙｎｃと同時に、副画素Ｒｂに対して印加される電圧はＶｓｉｇ−Ｖｌｃａ＝Ｖｓｉｇ−Ｖ１に切り替わる。その結果、副画素Ｒｂは、図１２（Ｂ）に示すようにフレーム（ｎ）で暗、図１２（Ｃ）に示すようにフレーム（ｎ＋１）で明となる。このように、フレーム或いはフィールド毎に互いの補助容量電極への印加電圧を切り替えることにより、図７において符号３４で例示したように、見た目の補助容量電極の電圧差による明暗差を抑制することができる。通常放送モード及びシネマモードにおける制御では、副画素間の補助容量電極の電圧差による明暗差がより強く発生し易くなるので、このような切替は特に好適である。
【００８１】
図１３は、本発明に係る液晶表示装置の制御例としてＰＣモードにおける制御例を詳細に説明するための図で、図１３（Ａ）は、垂直同期信号に対する補助容量電極のフレーム毎の制御、並びに水平同期信号に対する階調電圧，各副画素への印加電圧のフレーム毎の制御を説明するためのタイミングチャートで、図１３（Ｂ）は、その制御例をフレーム（ｎ）に対する各副画素の明暗によって説明するための図、図１３（Ｃ）は、その制御例をフレーム（ｎ＋１）に対する各副画素の明暗によって説明するための図である。
【００８２】
図１３（Ｂ），（Ｃ）の左上の赤の副画素Ｒａ及びそれと対となる副画素Ｒｂについて説明すると、フレーム（ｎ）に対しては、垂直同期信号Ｖｓｙｎｃと同時に、補助容量電極ＨＡに電圧Ｖｌｃａが印加され、補助容量電極ＨＢに電圧Ｖｌｃｂが印加され、それらの電圧値Ｖ１ｐｃ（＜Ｖ１），Ｖ２ｐｃ（＜Ｖ２）が、フレーム（ｎ＋１）に切り替わることで、逆に切り替えられる。一方、フレーム（ｎ）に対し、水平同期信号（ゲートパルス）Ｈｓｙｎｃと同時に、ソースラインに階調電圧Ｖｓｉｇが送られ、フレーム（ｎ＋１）に対しても、フレーム（ｎ）からの切り替わり時に水平同期信号（ゲートパルス）Ｈｓｙｎｃと同時に、ソースラインに階調電圧Ｖｓｉｇが送られる。
【００８３】
そして、フレーム（ｎ）に対し、水平同期信号Ｈｓｙｎｃと同時に、副画素Ｒａに対しソースラインに階調電圧Ｖｓｉｇに加え補助容量電極ＨＡへの電圧が加算され、副画素Ｒａに対してはＶｓｉｇ−Ｖｌｃａ＝Ｖｓｉｇ−Ｖ１ｐｃが印加されることとなる。フレーム（ｎ＋１）に移行すると、水平同期信号Ｈｓｙｎｃと同時に、副画素Ｒａに対して印加される電圧はＶｓｉｇ−Ｖｌｃａ＝Ｖｓｉｇ−Ｖ２ｐｃに切り替わる。その結果、副画素Ｒａは、図１３（Ｂ）に示すようにフレーム（ｎ）で明、図１３（Ｃ）に示すようにフレーム（ｎ＋１）で暗となる。一方、副画素Ｒｂに対しては、フレーム（ｎ）に対し、水平同期信号Ｈｓｙｎｃと同時にソースラインに階調電圧Ｖｓｉｇに加え補助容量電極ＨＢへの電圧が加算され、Ｖｓｉｇ−Ｖｌｃｂ＝Ｖｓｉｇ−Ｖ２ｐｃが印加されることとなる。フレーム（ｎ＋１）に移行すると、水平同期信号Ｈｓｙｎｃと同時に、副画素Ｒｂに対して印加される電圧はＶｓｉｇ−Ｖｌｃａ＝Ｖｓｉｇ−Ｖ１ｐｃに切り替わる。その結果、副画素Ｒｂは、図１３（Ｂ）に示すようにフレーム（ｎ）で暗、図１３（Ｃ）に示すようにフレーム（ｎ＋１）で明となる。このように、フレーム或いはフィールド毎に互いの補助容量電極への印加電圧を切り替えることにより、図７において符号３４で例示したように、見た目の補助容量電極の電圧差による明暗差を抑制することができる。ＰＣモードにおける制御であっても、副画素間の補助容量電極の電圧差による明暗差が存在するので、このような切替は好適である。
【００８４】
なお、本発明の実施例中では、補助容量電極に印加される電圧はＤＣ電圧として説明してあるが、データ電圧（ソース電極から印加される電圧）がライン反転或いはフレーム反転或いはドット反転駆動をしている場合には、補助容量へ印加される電圧の実効値が同じく作用するために、補助容量基準電圧へ印加される電圧も液晶層の基準電圧に対して極性反転した電圧を印加してもよい。
【図面の簡単な説明】
【００８５】
【図１】本発明の一実施形態に係る液晶表示装置の一構成例を示すブロック図である。
【図２】図１の液晶表示装置における液晶表示パネルの等価回路の一例を示す図である。
【図３】図１の液晶表示装置におけるγ補正処理の一例を説明するための図である。
【図４】図１の液晶表示装置における基準階調電圧発生部に対応したソースドライバにおける階調電圧発生部の例を示す図である。
【図５】図１の液晶表示装置における基準階調電圧発生部の主要部の例を示す図である。
【図６】図１の液晶表示装置における制御の例を説明するためのフロー図である。
【図７】本発明による副画素間の電圧差強調処理を従来例と比較するための図である。
【図８】図１乃至図７で説明したγ特性補正処理を施した場合とそうでない場合とを比較するための図である。
【図９】本発明の他の実施形態に係る液晶表示装置の一構成例を示すブロック図である。
【図１０】図９の液晶表示装置におけるγ補正処理の一例を説明するための図である。
【図１１】本発明の他の実施形態に係る液晶表示装置の一構成例を示すブロック図である。
【図１２】本発明に係る液晶表示装置の制御例として通常放送モード及びシネマモードにおける制御例を詳細に説明するための図である。
【図１３】本発明に係る液晶表示装置の制御例としてＰＣモードにおける制御例を詳細に説明するための図である。
【符号の説明】
【００８６】
１，４１，５１…映像信号入力部、２，４２，５２…ユーザ操作部、３，４３，５３…マイクロコンピュータ（マイコン）、４，４４，５４…コントローラ、５，４５，５５…ソースドライバ、６，１０ｂ，４０ｂ，４６，５０ｂ，５０ｄ，５６…ＲＯＭ、７，４７，５７…補助容量信号発生回路、８，４８，５８…液晶表示パネル、９，４９，５９…ゲートドライバ、１０，４０，５０…γ特性補正部、１０ａ，５０ｃ…基準階調電圧発生部、４０ａ，５０ａ…階調変換部。
【図１】
2006189684.tif 000003
【図２】
2006189684.tif 000004
【図３】
2006189684.tif 000005
【図４】
2006189684.tif 000006
【図５】
2006189684.tif 000007
【図６】
2006189684.tif 000008
【図７】
2006189684.tif 000009
【図８】
2006189684.tif 000010
【図９】
2006189684.tif 000011
【図１０】
2006189684.tif 000012
【図１１】
2006189684.tif 000013
【図１２】
2006189684.tif 000014
【図１３】
2006189684.tif 000015